(57)【要約】【課題】比較的単純な構造で、流通せしめられる水に対する抵抗を低くしつつ、熱交換性能を大幅に向上させることによって、瞬間湯沸しを可能とした、コンパクトな水熱交換器を提供すること。【解決手段】扁平な矩形の角筒形状とされたシェル本体部１６の対向する両端部のそれぞれに、外向きに次第に幅狭となる台形形状とされた入口部１８ａと出口部１８ｂとを取り付けて、角筒形状においてシェル１２を形成すると共に、所定距離を隔てて互いに平行に配置された複数の直線状のストレート管部２２の隣り合う端部同士を、Ｕ字状に湾曲せしめたヘアピン形状部２４により交互に連結することによって、全体として蛇行形状となるように伝熱管１４を形成し、かかる伝熱管１４を、そのストレート管部２２の長さ方向が、シェル１２内を流れる水の向きに対してほぼ直行する方向となるように、シェル１２の内部空間内に収容、配置せしめて、水熱交換器１０を構成した。【選択図】図１
2007298266.tif 000002
【特許請求の範囲】
【請求項１】
扁平な矩形角筒形状の対向する一方の開口端に水入口部が、そして他方の開口端に水出口部が、それぞれ形成されて、内部に熱交換されるべき水が流通せしめられるようにした箱体状のシェルを備える一方、該シェルの内部空間内に、熱交換媒体が内部に流通せしめられる伝熱管を配してなる構造の給湯機用水熱交換器にして、
前記伝熱管を、前記水入口部と前記水出口部との間に所定の間隔を隔てて配列された互いに平行な複数のストレート管部と、該複数のストレート管部の隣り合う端部同士を交互に連結する、Ｕ字状に湾曲せしめられた、外周面が平滑なヘアピン形状管部とから、蛇行形状に形成され、且つ該複数のストレート管部の外周面にのみ外面フィンが一体的に形成されてなる外面フィン付き管にて構成して、前記シェル内に収容せしめたことを特徴とする給湯機用水熱交換器。
【請求項２】
前記ストレート管部と前記ヘアピン形状管部とが１本の管体に対して交互に形成されて、前記外面フィン付き管が一体構造において構成されている請求項１に記載の給湯機用水熱交換器。
【請求項３】
前記外面フィン付き管の内面に、伝熱促進加工が施されている請求項１または請求項２に記載の給湯機用水熱交換器。
【請求項４】
前記外面フィン付き管の外面の表面積が、平滑な内面の表面積の１０倍以上とされている請求項１乃至請求項３の何れか一つに記載の給湯機用水熱交換器。
【請求項５】
前記外面フィン付き管の外面フィンが、転造によって螺旋状に形成されている請求項１乃至請求項４の何れか一つに記載の給湯機用水熱交換器。
【請求項６】
前記外面フィン付き管が、銅若しくは銅合金からなる材質にて形成されている請求項１乃至請求項５の何れか一つに記載の給湯機用水熱交換器。
【請求項７】
少なくとも前記伝熱管としての外面フィン付き管の外面に錫めっきを施したことを特徴とする請求項６に記載の給湯機用水熱交換器。
【発明の詳細な説明】
【技術分野】
【０００１】
本発明は、熱交換媒体と水との間で熱交換を行う水熱交換器に係り、中でも、炭酸ガスを主成分とする冷媒と水とを熱交換するための水熱交換器に関するものである。
【背景技術】
【０００２】
従来から、熱交換媒体（冷媒）と水とを熱交換する給湯機用水熱交換器として、冷媒を流通させる流路（冷媒側流路）と水を流通させる流路（水側流路）の２つの伝熱管を組み合わせて、水と冷媒との間で熱交換を行うようにした水熱交換器が、各種用いられてきている。
【０００３】
そして、そのような水熱交換器で用いられる熱交換媒体（冷媒）としては、従来のフロン系冷媒に代えて、オゾン層保護や地球温暖化防止の観点から、温暖化係数の低い自然冷媒が注目されてきており、近年、この自然冷媒を利用した熱交換器（ヒートポンプ）の開発が行われている。また、そのような自然冷媒の中でも、特に、炭酸ガスを用いた場合にあっては、高温高圧のガス条件が得られることから、特に注目されている。
【０００４】
ところで、このような炭酸ガスを主成分とする冷媒と水との間で熱交換を行う方式の熱交換器としては、特許文献１〜６に開示されているもののように、内部に冷媒を流通させる伝熱管と、内部に水を流通させる伝熱管とを組み合わせて、一つの熱交換器を構成するものが、各種提案されている。
【０００５】
それら特許文献１〜６のうち、例えば、特開２００１−２８０８６２号公報（特許文献１）においては、内部に水等のブラインが流通せしめられる、長手方向に凹状の溝が形成されたパイプを用い、かかるパイプの溝に、内部を冷媒が流動せしめられるパイプを嵌合せしめて、水と冷媒との間で熱交換をするようにしたブライン熱交換器が、明らかにされている。また、特開２００３−２１４７７８号公報（特許文献２）においては、内部に被熱交換液が流される第１熱交換パイプの周壁に、その軸方向に沿って窪み部を形成し、その窪み部内に、内部に所定の熱媒体が流される第２熱交換パイプを配設し、それら第１熱交換パイプと第２熱交換パイプをロウ付けして、一体化することにより、両者間に隙間が生じることなく、第２熱交換パイプ内を流れる熱媒体の熱が、ロウ材を介して、第１熱交換パイプ内を流れる被熱交換液に伝達されて、熱交換されるようにしたものが、明らかにされている。
【０００６】
さらに、特許文献４や特許文献６においては、外管の内部に、螺旋状に撚り合わされた複数の内管が装着されて、外管内に複数の流路が形成されると共に、内管の内部及び／又は外管と内管との隙間に形成される流路に、螺旋状の捩りテープが装入されている伝熱管が、明らかにされている。一方、特許文献５においては、内管と外管からなる二重管式の熱交換器において、内管と外管との間に形成される流路を螺旋状に仕切る伝熱促進体を介設して、かかる流路の流路長を増大させると共に、流れる流体の流速および乱流化を増大せしめて、内管内を流れる流体から内管と外管との間を流れる流体への伝熱が促進されるようにした二重管式熱交換器が、明らかにされている。
【０００７】
しかしながら、それら特許文献１〜６にて明らかにされている水熱交換器の何れにあっても、水側の伝熱促進作用が効果的に発揮されるものではないため、熱交換性能を向上させることが難しく、例えば給湯機としての瞬間湯沸しを実現することは困難であったのである。因みに、この種の水熱交換器における瞬間湯沸しと言われる状態を実現するためには、通常の家庭での水道の蛇口を開いた際の水の流量である、およそ８Ｌ／分の水を、約４５℃のお湯として、その場で提供出来る程度の熱交換能力が必要とされており、これには、熱交換器の大きさを大きくすれば容易に実現することが可能ではあるが、家庭用給湯機に、そのような対策を採ることは極めて困難であったのである。けだし、家庭用の給湯機にあっては、その大きさをより小型化することが求められているため、そのような給湯機に用いられる水熱交換器においても、そのコンパクト化を図ることが、求められているからである。従って、そのようなコンパクト化によって熱交換性能が今一つ充分でない水熱交換器を用いた場合にあっては、事前に少量ずつ熱交換したお湯を、貯蔵タンクに貯めておく方式をとっているのが、現状であった。
【０００８】
加えて、特許文献２や特許文献３に開示のものにあっては、冷媒側の流路が水流路に張り出した形状とされているために、水側の圧力損失が増大してしまい、給水ポンプの揚程不足を招く等の問題を内在しており、さらに、特許文献２のように、伝熱管同士をロウ付けにて接合しているタイプにおいては、ロウ付け部の不良によって、冷媒側流路と水側流路の接触面積不足を招き易く、その結果、伝熱性能のバラツキが生じやすいと言う欠点をも、内在するものであった。また、そのようなロウ付け不良による歩留低下を招くことにより、生産性が低下したり、コストアップしてしまうといった問題もあった。
【０００９】
さらに、特許文献４〜６においては、比較的大径の水側流路の内部に、比較的小径の冷媒側流路を装入した形態の二重管式熱交換器が、明らかにされているのであるが、特許文献４に開示のようなタイプの伝熱管を用いたものにあっては、内部に侵入した冷媒側の流路の位置を安定させることが難しく、使用しているうちにそれらの位置が動いてしまい、初期の性能を保ち続けることが困難となる問題を内在するものであった。また、特許文献５や特許文献６に開示されたもののように、特許文献４で問題とされた、流路が安定しないという問題の対策として、水側流路とされた外管と、冷媒側流路とされた伝熱管との間に、伝熱促進体を兼ねた支え板を設置した場合にあっては、確かに冷媒側流路の位置は安定するものの、そのような支え板の存在によって、水側流路内にスケールの発生が生じやすいという問題を新たに惹起するものであった。
【００１０】
【特許文献１】特開２００１−２８０８６２号公報
【特許文献２】特開２００３−２１４７７８号公報
【特許文献３】特開２００３−２０２１９４号公報
【特許文献４】特開２００３−３４３９９５号公報
【特許文献５】特開２００１−２０１２７５号公報
【特許文献６】特開２００４−２５７６９１号公報
【発明の開示】
【発明が解決しようとする課題】
【００１１】
ここにおいて、本発明は、かかる事情を背景にして為されたものであって、その解決課題とするところは、比較的単純な構造で、流通せしめられる水に対する抵抗を低くしつつ、熱交換性能を大幅に向上させることによって、瞬間湯沸しを可能とした、コンパクトな水熱交換器を提供することにある。
【課題を解決するための手段】
【００１２】
そして、本発明にあっては、かかる課題の解決のために、扁平な矩形角筒形状の対向する一方の開口端に水入口部が、そして他方の開口端に水出口部が、それぞれ形成されて、内部に熱交換されるべき水が流通せしめられるようにした箱体状のシェルを備える一方、該シェルの内部空間内に、熱交換媒体が内部に流通せしめられる伝熱管を配してなる構造の給湯機用水熱交換器にして、前記伝熱管を、前記水入口部と前記水出口部との間に所定の間隔を隔てて配列された互いに平行な複数のストレート管部と、該複数のストレート管部の隣り合う端部同士を交互に連結する、Ｕ字状に湾曲せしめられた、外周面が平滑なヘアピン形状管部とから、蛇行形状に形成され、且つ該複数のストレート管部の外周面にのみ外面フィンが一体的に形成されてなる外面フィン付き管にて構成して、前記シェル内に収容せしめたことを特徴とする給湯機用水熱交換器を、その要旨とするものである。
【００１３】
なお、本発明に従う給湯機用水熱交換器の望ましい態様の一つによれば、前記ストレート管部と前記ヘアピン形状管部とが１本の管体に対して交互に形成されて、前記外面フィン付き管が一体構造において構成されることとなる。
【００１４】
また、本発明に従う給湯機用水熱交換器の望ましい態様の他の一つによれば、前記外面フィン付き管の内面に、伝熱促進加工が施されているのであり、更に別の好ましい態様の一つによれば、前記外面フィン付き管の外面の表面積が、平滑な内面の表面積の１０倍以上とされている。
【００１５】
さらに、本発明の別の望ましい態様の一つにあっては、前記外面フィン付き管の外面フィンが、転造によって螺旋状に形成されることとなり、更に別の望ましい態様の一つによれば、前記外面フィン付き管が、銅若しくは銅合金からなる材質にて形成されている。そして、本発明にあっては、少なくとも、そのような伝熱管としての外面フィン付き管の外面に対して、錫めっきが有利に施されることとなるのである。
【発明の効果】
【００１６】
このような本発明に従う給湯機用水熱交換器の構成によれば、内部に熱交換される水が流通せしめられる箱体状のシェルの内部に、内部を熱交換媒体が流通せしめられる伝熱管を、蛇行形状に形成して、配置しているところから、矩形角筒形状とされたシェルの対向する一方の開口端に設けられた水入口部から流入した水が、他方の開口端に設けられた水出口部にまで流通せしめられる間に、蛇行した伝熱管と充分に接触せしめられることとなり、以て、伝熱管内部を流通する熱交換媒体の持つ熱を、シェル内部を流通する水に対して、効果的に伝達せしめることが出来、水熱交換器の熱交換性能を有利に向上せしめることが可能となるのである。
【００１７】
また、そのように蛇行せしめられた伝熱管の外周面のうち、所定間隔を隔てて、互いに平行とされた複数のストレート管部の外周面に、外面フィンが一体的に形成されているところから、水と伝熱管との接触面積を更に増大させることが出来、以て、熱交換性能をより一層向上せしめることが可能となる。
【００１８】
しかも、そのようなストレート管部のみに外面フィンが形成される一方、かかるストレート管部の隣り合う端部同士を交互に連結する、Ｕ字形状とされたヘアピン形状部の外周面には、外面フィンが形成されてはいないところから、シェル内部を流通せしめられる水の流れを阻害することはなく、そのため、水の抵抗が高くなって、圧力損失が増大してしまうと言った問題も、有利に改善され得ることとなるのである。
【００１９】
このように、本発明に従う給湯機用水熱交換器によれば、扁平な矩形角筒形状のシェル内に収容せしめた伝熱管を蛇行形状とすると共に、ストレート管部の外周面にのみ外面フィンを一体的に形成することによって、水の流通に対する抵抗が上昇するのを有利に抑制しつつ、シェル内を流通せしめられる水と伝熱管との接触面積が効果的に増加させられることとなり、以て、伝熱管内部を流通せしめられる伝熱媒体の熱を、シェル内を流通せしめられる水に対して効果的に伝達可能となるのである。そして、その結果、水熱交換器の大きさをコンパクト化した際にも、充分な熱交換能力を発揮することが出来るため、瞬間湯沸し可能な給湯機用水熱交換器を提供することが可能となるのである。
【００２０】
なお、本発明に従う給湯機用水熱交換器の望ましい態様の一つによれば、シェル内に配置される、内部に熱交換媒体が流通せしめられる伝熱管が、ストレート管部とヘアピン形状管部とが１本の管体に対して交互に形成された、一体構造において構成されていることにより、水熱交換器の生産性を効果的に向上せしめることが可能となる利点がある。これは、伝熱管を蛇行した形状に形成する際に、外面フィンが形成された部位と形成されていない部位とが交互に形成されたストレート状の伝熱管を用意して、かかる外面フィンが形成されていない部位を、単に、ヘアピン形状に曲げ加工をするのみで、所定の間隔を隔てて配列された互いに平行な複数のストレート管部と、そのようなストレート管部の隣り合う端部同士を交互に連結する、Ｕ字状に湾曲せしめられたヘアピン形状管部とからなる蛇行形状の伝熱管を、容易に形成することが出来るからである。
【００２１】
また、本発明の別の好ましい態様の一つに従って、かかる外面フィン付き管の内面にも伝熱促進加工を施すことによって、より熱交換効率を高めることが可能となると共に、更に別の好ましい態様の一つに従って、そのような外面フィン付き管の外面の表面積を、平滑な内面の表面積の１０倍以上とすることにより、伝熱管の内部を流れる熱交換媒体の熱を、より効果的に水へと伝達して、熱交換能力の向上を図ることが出来る。
【００２２】
さらに、本発明の好ましい態様の更に別の一つに従って、かかる外面フィン付き管を、転造加工を行って螺旋状に形成することにより、ストレート管部には外面フィンが形成され、ヘアピン形状管部には外面フィンが形成されていない伝熱管の生産性を、有利に向上することが出来るのである。
【００２３】
更にまた、本発明の望ましい態様の一つに従って、前記した外面フィン付き管を、熱伝導率の高い銅若しくは銅合金からなる材質にて形成することによって、更に熱交換性能を向上することが可能となる。
【００２４】
加えて、本発明に従って、少なくともかかる外面フィン付き管の外面に対して、錫めっきを施すことによって、管材質である銅若しくは銅合金が２価の銅イオンとして水に溶け出してしまうことを抑制するようにすれば、伝熱管の耐食性が有利に確保されることとなる。
【発明を実施するための最良の形態】
【００２５】
以下、本発明を更に具体的に明らかにするために、本発明の実施の形態について、図面を参照しつつ、詳細に説明することとする。
【００２６】
先ず、図１には、本発明に従う水熱交換器の一実施形態が、示されている。そこにおいて、かかる実施形態が、（ａ）では、縦方向にシェルの外壁の一面を切り欠いた平面図の形態として、また（ｂ）では、横方向にシェルの外壁の一面を切り欠いた背面図の形態として、それぞれ示されている。そして、それらの図から明らかなように、水熱交換器１０は、扁平な角筒形状とされたシェル１２の内部空間に、蛇行形状を呈する伝熱管１４が一段収容、配置せしめられて、構成されているのである。
【００２７】
より詳細には、シェル１２は、扁平な矩形の角筒形状とされたシェル本体部１６と、かかるシェル本体部１６の対向する両端部、換言すれば、図１において左右方向の両端部のそれぞれに、外向きに次第に幅狭となる台形形状とされた入口部１８ａと出口部１８ｂとが取り付けられた角筒形状において、所定の金属材料によって形成されている。また、それら入口部１８ａと出口部１８ｂには、水入口側パイプ２０ａと水出口側パイプ２０ｂとが、シェル１２の内部空間に連通せしめられるように、それぞれ取り付けられている。そして、水入口側パイプ２０ａ側からシェル１２内に流入した水が、シェル１２の内部空間内を流通せしめられた後、水入口側パイプ２０ａとは反対側の端部に設けられた水出口側パイプ２０ｂから、排出されるようになっている。
【００２８】
一方、伝熱管１４は、直線状のストレート管部２２の複数が、所定距離を隔てて互いに平行に配置されると共に、それらストレート管部２２の隣り合う端部同士を、Ｕ字状に湾曲せしめられたヘアピン形状部２４によって、交互に連結することによって、全体として蛇行形状となるように形成されている。このようなストレート管部２２とヘアピン形状部２４とから構成される伝熱管１４は、ここでは、りん脱酸銅からなる、１本の管体を曲げ加工することによって、一体構造において形成されている。なお、この伝熱管１４を形成する材質としては、所望の伝熱性能に応じて、例示のりん脱酸銅を始め、各種の公知の金属材料を用いることが可能であるが、望ましくは、銅または銅合金を用いて形成されることとなる。
【００２９】
ところで、かかる構造の伝熱管１４の製作に際しては、それらストレート管部２２とヘアピン形状部２４とを、それぞれ別体として形成しておいて、所定形態となるようにロウ付け等をすることによって、それらを組み付け、目的とする蛇行形状を呈するように一体的に構成することにより、伝熱管１４を形成することも可能ではあるが、本実施の形態の如く、一体構造とすることが望ましい。これは、ロウ付けにてストレート管部２２とヘアピン形状部２４とを接合した場合にあっては、それらをロウ付けをするために外周面が平滑な部分が必要となるため、ストレート管部において外面フィンが形成された部分が少なくなってしまい、伝熱管の外周面の面積増加による伝熱性能の向上効果を阻害し、熱交換効率が低下してしまう問題を惹起する他、水の流路にロウ付け部が存在すると、ロウ付けに用いるロウ材と伝熱管の材質との電位差によって、腐食が発生してしまう恐れがあるところから、そのようなロウ付け部がない方が好ましいのである。
【００３０】
そして、かかる伝熱管１４において、そのストレート管部２２の外周面には、図２（ａ）及び（ｂ）に示されるように、所定の幅（ｔ）及び高さ（ｈ）とされた外面フィン２６が、所定の間隔（Ｐ）をもって、螺旋状に形成されているのである。なお、このような外面フィン２６は、ヘアピン形状部２４には形成されておらず、ヘアピン形状部２４の外周面は、平滑な外周面とされている。
【００３１】
また、このような螺旋状の外面フィン２６は、公知の各種の手法を用いて形成されることとなるが、中でも、転造加工にて形成されることが望ましい。そして、転造加工を用いて、伝熱管１４のように、外面フィンが形成された箇所と形成されていない箇所とが交互に設けられた伝熱管を形成する際には、例えば、直管状の外周面が平滑とされた管体に対して、必要な箇所のみ転造加工を行い、部分的に外面フィンを形成する方法のほか、管体の全長に亘って、転造加工にて外面フィンを形成した伝熱管を作製した後、蛇行形状に曲げ加工する際に、ヘアピン形状部となる部分の外面フィンを、切削加工によって削り落として外周面を平滑とすることによって、外面フィンが形成された部位と形成されていない部位とが交互に存在する伝熱管を形成する方法等、各種の方法が採用可能である。
【００３２】
そして、かくの如き蛇行形状に構成された伝熱管１４を、そのストレート管部２２の長さ方向が、シェル１２内を流れる水の向きに対してほぼ直行する方向となるように、シェル１２の内部空間内に収容、配置せしめると共に、伝熱管１４の冷媒入口側の端部２８ａと出口側の端部２８ｂとが、シェル１２の外壁部を貫通して、シェル１２外部に導かれるようにされることによって、水熱交換器１０が形成されるのである。このような水熱交換器１０においては、水入口側パイプ２０ａから導入せしめられた水が、シェル１２内を流通して、水出口側パイプ２０ｂから排出される間に、伝熱管１４内部を流通せしめられる高温の冷媒（伝熱媒体）の熱によって加熱せしめられて、水と伝熱媒体との間で、有効な熱交換が行われることとなる。
【００３３】
このように、本発明に従う水熱交換器１０によれば、シェル１２を構成する矩形角筒形状のシェル本体部１６の対向する両端部の一方の端部の入口部１８ａに設けられた水入口側パイプ２０ａから導入された水が、シェル１２（シェル本体部１６）の内部空間を流通して、反対側の端部の出口部１８ｂに設けられた水出口側パイプ２０ｂまで流れる間に、蛇行形状とされた伝熱管１４の、互いに平行に配置された複数のストレート管部２２の回りを、順次通過するように構成されているため、小さなシェル１２内でも、水が、伝熱管１４に対して効果的に接触せしめられることとなり、以て、熱交換効率を有利に向上することが出来るのである。
【００３４】
また、伝熱管１４におけるストレート管部２２の外周面には、外面フィン２６が形成されているところから、シェル１２内を流通する水と伝熱管１４とが接触する面積が効果的に増大せしめられることとなり、その結果、伝熱管１４の内部を流れる高温の伝熱媒体の熱を、充分な接触面積をもって水に伝達することが可能となるのである。なお、この外面フィン２６によって増加せしめられる外表面の面積は、伝熱管１４の内周面の表面積の１０倍以上となることが、望ましい。これは、内周面の面積に対する外周面の面積が１０倍未満となるような場合には、熱交換能力の向上が不十分となってしまい、瞬間湯沸しの実現が困難となるからである。
【００３５】
さらに、本実施の形態にあっては、伝熱管１４のストレート管部２２とヘアピン形状部２４とが一体的に形成されているところから、ストレート管部２２の外周面に外面フィン２６を効果的に形成することが可能となる。なお、このような伝熱管１４の外周面に形成した外面フィン２６による伝熱促進効果を効果的に高めるためには、外面フィン２６が形成されていないヘアピン形状部２４の領域を出来るだけ少なくすることが望ましく、また、図３の（ａ）や（ｂ）に示されるように、シェル１２の外壁（側板）からヘアピン形状部２４までの距離（ｂ）や外面フィン２６の最外周部までの距離（ｃ）、ヘアピン形状部２４の曲げ半径（Ｒ）を、出来るだけ少なくすることが望ましい。
【００３６】
しかも、例示の実施形態においては、蛇行形状を呈するように構成された伝熱管１４のヘアピン形状部２４の外周面には、外面フィンが何等設けられておらず、平滑な表面とされているところから、シェル１２内を流通する水の流れを阻害せず、以て、圧力損失が可及的に生じないという利点も有している。つまり、ヘアピン形状部２４にも、外面フィンが設けられている場合には、ヘアピン形状部２４の頂点付近において、フィン角度が水の流れを阻害する向きとなってしまう恐れがあるからである。一方、ストレート管部２２に形成された外面フィン２６は、シェル１２内を流れる水の向きと、この外面フィン２６が形成されている向きとがほぼ平行となるようになっているところから、圧力損失を小さく出来るのである。
【００３７】
このように、本実施形態の如き構成によれば、伝熱管内部を流れる伝熱媒体から水への熱伝達性能を、効果的に向上することが可能となるところから、その大きさをコンパクト化した際にも、高い熱交換性能を発揮することが出来、その結果、家庭用等の小さな給湯機で用いられる水熱交換器においても、瞬間湯沸しを達成することの出来る、給湯機用水熱交換器を提供することが可能となるのである。
【００３８】
以上、本発明の代表的な実施形態の一つについて詳述してきたが、それは、あくまでも例示に過ぎないものであって、本発明は、そのような実施形態に係る具体的な記述によって、何等限定的に解釈されるものではないことが、理解されるべきである。
【００３９】
例えば、前述した実施形態においては、内周面が平滑とされた伝熱管を用いたが、内面に各種の伝熱促進加工が施された伝熱管、例えば、内周面に多数の溝（乃至はフィン）や突起が形成されてなる内面溝付き伝熱管を用いることも、勿論可能であり、本発明においても有利に採用され得るところである。
【００４０】
ところで、この種の水熱交換器においては、水が流通する部分、即ちシェルの内面や伝熱管の外面を、銅若しくは銅合金で構成した場合において、水のｐＨが酸性側やアルカリ性側に変化すると、これらの銅若しくは銅合金が２価の銅イオンとして水に溶け出し易くなる。一方、使用する水中には種々の成分が含まれており、この中で溶解性ＳｉＯ2 は未飽和であっても、２価の金属イオンが存在すると析出して、スケールを形成する傾向がある。そして、給湯水に溶け出した２価の銅イオンにより、水中の溶解性ＳｉＯ2 が析出して、スケールを形成したり、使用時に石鹸や炭酸ガス等と反応して、青水となる等の問題を内在している。また、腐食が進行して、シェルの内面や伝熱管に孔をあけてゆく孔食の危険性もある上、表面の錆で荒れた部分に水垢等のスケールがつき易くなり、熱交換効率を悪くするという問題もある。
【００４１】
このため、その対策として、伝熱管やシェルが銅若しくは銅合金にて形成されている場合において、水が流通する部分のシェル内面や伝熱管外面に錫めっきを施すことが推奨され、これにより、銅イオンの溶け出しが効果的に抑制され、以て耐食性が有利に確保せしめられ得るのである。特に、本発明においては、伝熱特性を考慮して、少なくとも伝熱管が銅若しくは銅合金材質とされるところから、少なくとも伝熱管の外面に対して錫めっきが施されることとなるが、またシェルも銅若しくは銅合金材質とされる場合があり、そのときには、シェル内面に対しても、錫めっきが施されることとなる。
【００４２】
なお、そのようなシェルの内面や伝熱管の外面に対し錫めっきを施す方法としては、例えば、予めその内面に錫めっきを施したシェルや、予め外面に錫めっきを施した伝熱管を使用し、それらを組み付けるという方法がある他、シェルの内部空間内に伝熱管を収容、配置せしめた後、シェルの内部に錫のめっき液を流通せしめる置換めっき法による方法等があり、本発明においては適宜に採用されることとなる。
【００４３】
その他、一々列挙はしないが、本発明が、当業者の知識に基づいて、種々なる変更、修正、改良等を加えた態様において実施されるものであり、また、そのような実施の態様が、本発明の趣旨を逸脱しない限りにおいて、何れも、本発明の範疇に属するものであることは、言うまでもないところである。
【実施例】
【００４４】
以下に、本発明の代表的な実施例の一つを示し、本発明の特徴を更に明確にすることとするが、本発明が、そのような実施例の記載によって、何等の制約をも受けるものでないことは、言うまでもないところである。
【００４５】
先ず、本発明に従う水熱交換器を構成する、冷媒側流路として用いる伝熱管として、図２に示すような外面フィン付き伝熱管を転造加工によって製作した。その材質としては、りん脱酸銅管（ＪＩＳ  Ｈ  ３３００  Ｃ１２２０）を用いて、内径（ｄ1 ）：５．０ｍｍ、外径（ｄ2 ）：９．５２ｍｍ、とし、外面フィンは、フィン高さ（ｈ）：７．７４、フィン外径（Ｄ）：２５ｍｍ、フィンピッチ（Ｐ）：３ｍｍ、フィン厚さ（ｔ）：１．０ｍｍとなるように、螺旋状に形成した。そして、このような外面フィンが形成された部分の長さを１４４ｍｍとし、フィンが形成されていない外周が平滑な部分の長さを４２ｍｍとして、それらを交互に形成した伝熱管を用意した。
【００４６】
そして、そのように用意した伝熱管の、管外周面が平滑な部分において、管の中心部での半径（Ｒ）が１３ｍｍとなるようにヘアピン曲げを行い、外面フィンが形成されたストレート管部において、それぞれのフィン先端間の間隔（ａ）が１ｍｍとなるようにして、フィン形成部（ストレート管部）を互いに平行となるように１段で８列配置した。
【００４７】
一方、水側流路となるシェルは、板厚：２ｍｍのステンレス（ＳＵＳ３０４）板を用いて、図１に示したような、長さ（Ｌ）：２４０ｍｍ、幅（Ｗ）：２００ｍｍ、厚さ（Ｔ）：４５ｍｍの大きさの箱体状に形成した。そして、そのようなシェル内部に、蛇行形状に形成した伝熱管を収容、配置せしめて、水熱交換器を構成した。なお、このとき、側板から伝熱管のヘアピン形状部までの距離（ｂ）は１０ｍｍ、上下板から伝熱管のフィン最外周部までの距離（ｃ）は１０ｍｍとなるようにした。
【００４８】
このように用意された水熱交換器について、伝熱管内部に、１００℃に加熱したＣＯ2 冷媒を流通せしめると共に、シェル内に、２５℃の水を流量８Ｌ／分にて流通せしめて、熱交換を行ない、水熱交換器の出口から排出せしめられる湯の温度を測定したところ、瞬間湯沸しで求められる４５℃の温度を達成することが出来ることを確認した。
【図面の簡単な説明】
【００４９】
【図１】本発明に従う水熱交換器の一例において、そのシェル本体部の一部を切り欠いた状態で示す説明図であって、（ａ）は、平面図の形態において、（ｂ）は、背面図の形態において、それぞれ示している。
【図２】本発明に従う水熱交換器に用いられる外面フィン付き伝熱管の一例を示す説明図であって、（ａ）は、斜視図の形態において、（ｂ）は、縦断面の形態において、それぞれ示している。
【図３】図１に示される水熱交換器の一部を拡大して示す説明図であって、（ａ）は、図１（ａ）におけるＡ部拡大説明図、（ｂ）は、図１（ｂ）におけるＢ部拡大説明図である。
【符号の説明】
【００５０】
１０  水熱交換器
１２  シェル
１４  伝熱管
１６  シェル本体部
１８ａ  入口部
１８ｂ  出口部
２０ａ  水入口側パイプ
２０ｂ  水出口側パイプ
２２  ストレート管部
２４  ヘアピン形状部
２６  外面フィン
【図１】
2007298266.tif 000003
【図２】
2007298266.tif 000004
【図３】
2007298266.tif 000005